(57)【要約】【課題】自車の前方の車線の形状等に関わらず先行車を正しく選択することができる先行車選択装置を得る。【解決手段】前方車位置記憶手段１７は、前方車位置計算手段１６から出力された前方車絶対位置情報Ｄ１６を順次受け、遡及所定期間に渡る過去の前方車の位置の履歴を指示する前方車位置履歴情報Ｄ１７として保存する。先行車選択手段１８は、自車位置計測手段１４により出力される自車絶対位置情報Ｄ１４が指示する現在の自車絶対位置座標と、前方車位置履歴情報Ｄ１７が指示する遡及所定期間に渡る過去の一連の履歴である、少なくとも一つの前方車それぞれの前方車絶対位置とを比較して先行車選択処理を行い、その比較結果に基づき選択した先行車の相対位置などを指示する先行車情報Ｄ１８を出力する。【選択図】図１
2011098586.tif 000002
【特許請求の範囲】
【請求項１】
少なくとも一つの前方車のうち、自車と同じ車線を走行し、自車に最も近い前方車である先行車を選択する先行車選択装置であって、
絶対座標系における前記少なくとも一つの前方車それぞれの位置を指示する前方車位置情報を取得し、遡及所定期間に渡る過去の前記前方車位置情報の履歴を前方車位置履歴情報として保存する前方車位置記憶部と、
絶対座標系における自車の現在位置を指示する自車位置情報と、前記前方車位置履歴情報とに基づき、前記先行車を選択する先行車選択処理を行う先行車選択部とを備える、
先行車選択装置。
【請求項２】
請求項１記載の先行車選択装置であって、
前記先行車選択部は、
前記自車位置情報より得られる自車の現在位置と、前記前方車位置履歴情報より得られる前記少なくとも一つの前方車それぞれにおける前記遡及所定期間に渡る過去の前方車位置との比較結果に基づき、前記先行車を選択する先行車選択手段を含む、
先行車選択装置。
【請求項３】
請求項１記載の先行車選択装置であって、
前記先行車選択部は、
前記自車位置情報に基づき、所定の予測方法を用いて現在の自車位置からの自車進路を予測して、自車の予測進路を指示する自車進路予測情報を得る自車進路予測手段と、
前記自車進路予測情報より得られる前記自車の予測進路と、前記前方車位置履歴情報より得られる前記少なくとも一つの前方車それぞれにおける前記遡及所定期間に渡る過去の前方車位置との比較結果に基づき、前記先行車を選択する先行車選択手段とを含む、
先行車選択装置。
【請求項４】
請求項１記載の先行車選択装置であって、
前記先行者選択部は、
前記前方車位置履歴情報に基づき、前記少なくとも一つの前方車それぞれにおける遡及所定期間に渡る過去の前方車位置を平滑化して、平滑化後の前記少なくとも一つの前方車それぞれにおける前記遡及所定期間に渡る過去の前方車位置に関する確率的な情報を指示する前方車位置平滑化情報を得る前方車位置平滑化手段をさらに含み、
前記先行車選択処理は、前記自車位置情報及び前記前方車位置平滑化情報を用いた処理を含む、
先行車選択装置。
【請求項５】
請求項４記載の先行車選択装置であって、
前記先行車選択部は、
前記自車位置情報に基づき、所定の予測方法を用いて、自車の現在位置からの自車進路を予測して、自車の予測進路を指示する自車進路予測情報を得る自車進路予測手段と、
前記自車進路予測情報より得られる前記自車の予測進路と、前記前方車位置平滑化情報が指示する前記確率的な情報に基づき、前記先行車選択処理を行う先行車選択手段とをさらに含む、
先行車選択装置。
【請求項６】
請求項２あるいは請求項３記載の先行車選択装置であって、
前記少なくとも一つの前方車それぞれにおける前記遡及所定期間に渡る過去の前方車位置は、前記前方車位置履歴情報に基づき補間演算により得られた前方車位置を含み、
前記先行車選択手段は前記補間演算機能を有する、
先行車選択装置。
【請求項７】
請求項１ないし請求項６のうち、いずれか１項に記載の先行車選択装置であって、
前記先行車選択処理は、
新規に前記先行車を検出する新規先行車検知、割り込み車を検出する割り込み検知、及び前記先行車の車線離脱を検出する先行車車線離脱検知それぞれの有無を判定する処理を含み、
前記前方車位置履歴情報における前記遡及所定期間の長さを、前記新規先行車検知、前記割り込み検知及び前記先行車車線離脱検知それぞれの判定の際、異なる長さに設定して行うことを特徴とする、
先行車選択装置。
【請求項８】
少なくとも一つの前方車のうち、自車と同じ車線を走行し、自車に最も近い前方車である先行車を選択する先行車選択方法であって、
(a) 絶対座標系における前記少なくとも一つの前方車それぞれの位置を指示する前方車位置情報を受け、遡及所定期間に渡る過去の前記前方車位置情報の履歴を前方車位置履歴情報として得るステップと、
(b) 絶対座標系における自車の現在位置を指示する自車位置情報と、前記ステップ(a) で得た前方車位置履歴情報とに基づき、前記先行車を選択する先行車選択処理を行うステップとを備え、
前記ステップ(a) ，(b) を繰り返し行う、
先行車選択方法。
【発明の詳細な説明】
【技術分野】
【０００１】
この発明は、自車の前方に存在する前方車の中から自車に最も近い先行車を選択する先行車選択装置及び先行車選択方法に関する。
【背景技術】
【０００２】
まず、本明細書記載内容の理解を容易にすることを目的として、本明細書中において以下の用語の定義を行う。自車の前方に位置する移動物（主として車両）のことを「前方車」と呼ぶ。また、自車と同じ車線を走行し、自車に最も近い車両を「先行車」と呼ぶ。
【０００３】
自動車の快適装備の一つとして、ＡＡＣ（Adaptive Auto Cruise) と呼ばれるものがある。ＡＡＣは所定の車速より遅い先行車が存在すれば、自動的に先行車に追随するように自車の速度を調節するものである。ＡＡＣでは、レーダなどを用いて前方車の情報を得ているが、その中から追随すべき先行車を適切に判定する必要がある。
【０００４】
レーダ波などから得た前方車の情報と、自車の速度やヨーレートなどの情報を用いて先行車の位置や速度などを推定する方法は、例えば、特許文献１及び特許文献２に開示されている。
【先行技術文献】
【特許文献】
【０００５】
【特許文献１】国際公開第２００５／０２０１８３号パンフレット
【特許文献２】特開２００２−２２８７４８号公報
【発明の概要】
【発明が解決しようとする課題】
【０００６】
特許文献１または特許文献２などに開示されている方法においては、自車の速度及びヨーレートから自車の進路を予測し、その予測進路上にある直近の現在の前方車を先行車であると判定する。しかし、自車の予測進路が実際の車線形状と異なる場合、先行車を正しく判定することができない。例えば、カーブ路の入り口手前などでは自車はまだカーブ路手前の直線部分を走行しているために、車線が前方で曲線を描いていることを推定できないが、先行車はカーブ路に進入し自車の進行方向直線上から外れてしまうため、結果として先行車が自車の走行車線から離脱したと誤判定してしまう問題があった。
【０００７】
この問題に対し、例えば特許文献１で開示されている方法では以下のように対処している。すなわち、自車の予測進路と前方車の位置との乖離（した距離）が所定の閾値Ｌ＿１以下であれば前方車を先行車であると判定するが、一度、先行車だと判定すれば、閾値Ｌ＿１よりも大きな所定の閾値Ｌ＿２を用いて、自車の予測進路と先行車の位置との乖離が閾値Ｌ＿２以上にならなければ先行車が車線を離脱したと判定しないようにしている。
【０００８】
しかし、自車の予測進路と真の先行車との乖離は、先行車が遠くなれば遠くなるほど大きくなり得るために、遠くの先行車に対しては閾値Ｌ＿２を大きな値に設定しなければならない。一方、車線幅以上の閾値Ｌ＿２を設定すると前方車の車線離脱を検知できなくなるため、特許文献１で開示された手法では正しく選択できる先行車の遠さに限界があるという問題点があった。
【０００９】
また、特許文献２で開示されている方法では、以下のように対処している。すなわち、先行車が自車の予測進路上から外れたとき、それがカーブによるものか車線変更によるものかの判断を一定時間保留し、一定時間内に再び先行車が自車の予測進路上に戻ればそのまま先行車だと判断し、戻らなければ車線変更したと判断している。
【００１０】
しかし、特許文献２で開示された方法では、自車の車線変更時にも先行車の判定が保留されてしまい、自車が車線変更した後もしばらくの間、以前の先行車を選択し続けてしまうという問題点があった。
【００１１】
この発明は上記問題点を解決するためになされたもので、自車の前方の車線の形状等に関わらず先行車を正しく選択することができる先行車選択装置を得ることを目的とする。
【課題を解決するための手段】
【００１２】
この発明に係る請求項１記載の先行車選択装置は、少なくとも一つの前方車のうち、自車と同じ車線を走行し、自車に最も近い前方車である先行車を選択する先行車選択装置であって、絶対座標系における前記少なくとも一つの前方車それぞれの位置を指示する前方車位置情報を取得し、遡及所定期間に渡る過去の前記前方車位置情報の履歴を前方車位置履歴情報として保存する前方車位置記憶部と、絶対座標系における自車の現在位置を指示する自車位置情報と、前記前方車位置履歴情報とに基づき、前記先行車を選択する先行車選択処理を行う先行車選択部とを備える。
【発明の効果】
【００１３】
この発明における請求項１記載の先行車選択装置は、自車位置情報と、前方車位置履歴情報とに基づき、先行車を選択する先行車選択処理を行っており、情報精度の高い過去の前方車位置履歴情報に基づく分、先行車予測精度を高める効果を奏する。
【図面の簡単な説明】
【００１４】
【図１】この発明の実施の形態１である先行車選択装置及びその周辺構成を示すブロック図である。
【図２】図１で示した先行車選択手段における２つのモード（先行車無しモード，先行車有りモード）間の状態遷移内容を模式的に示す説明図である。
【図３】図１で示した先行車選択手段による先行車選択処理手順を示すフローチャートである。
【図４】複数の車線を持つ道路上を自車及び複数の前方車が走行している状況を示す説明図である。
【図５】図４を簡略化して、複数の車線を持つ道路上を自車及び複数の前方車が走行している状況を模式的に示す説明図である。
【図６】実際の車線形状と，自車の予測進路が異なる場合を模式的に示す説明図である。
【図７】この発明の実施の形態２である先行車選択装置及びその周辺構成を示すブロック図である。
【図８】図７で示した自車進路予測手段及び先行車選択手段による予測進路と前方車位置履歴の用い方を模式的に示す説明図である。
【図９】割り込みがあった場合の状態を模式的に示す説明図である。
【図１０】自車が車線変更した場合の状態を模式的に示す説明図である。
【図１１】この発明の実施の形態３である先行車選択装置及びその周辺構成を示すブロック図である。
【図１２】前方車位置の平滑化による効果を模式的に示す説明図である。
【図１３】確率的な情報を用いた判定による効果を模式的に示す説明図である。
【発明を実施するための形態】
【００１５】
＜本発明の概要等＞
前述したように、本発明の理解を容易にするため、自車の前方に位置する移動物（主として車両）のことを「前方車」と呼び、自車と同じ車線を走行し、自車に最も近い車両を「先行車」と呼ぶ。
【００１６】
本発明の特徴は、レーダなどを用いて得た前方車の相対位置などの前方車位置情報と、自車の速度やヨーレートなどの自車情報とを用いて先行車の位置またはそれに類する情報を推定する装置において、前方車の位置またはそれに類する過去の情報を履歴として保存し、履歴として保存された前方車の過去の位置と、現在の自車の位置、または自車の予測進路を比較することによって先行車を選択することである。
【００１７】
＜実施の形態１＞
図１はこの発明の実施の形態１である先行車選択装置及びその周辺構成を示すブロック図である。
【００１８】
自車位置計測手段１４は、自車の速度及びヨーレートなどを指示する自車情報Ｄ１２に基づき、絶対座標系における自車の位置座標を計測し、その計測結果である自車絶対位置情報Ｄ１４を先行車選択装置１１に出力する。
【００１９】
前方車相対位置計測手段１５は、レーダ波などを用いて得た、例えば前方車の相対位置を示す情報等を指示する前方車情報Ｄ１３に基づき、自車位置を原点とし、自車の進行方向をｙ軸正の方向とした相対座標系における前方車の位置座標を計測し、その計測結果である前方車相対位置情報Ｄ１５を先行車選択装置１１に出力する。
【００２０】
図１に示すように、実施の形態１の先行車選択装置１１は、前方車位置計算手段１６、前方車位置記憶手段１７及び先行車選択手段１８から構成され、自車絶対位置情報Ｄ１４及び前方車相対位置情報Ｄ１５に基づき、先行車を指示する先行車情報Ｄ１８を出力する。
【００２１】
先行車選択装置１１内の前方車位置計算手段１６は、自車位置計測手段１４から出力される自車絶対位置情報Ｄ１４で指示される自車位置絶対座標と、前方車相対位置計測手段１５から出力される前方車相対位置情報Ｄ１５で指示される前方車の相対位置座標とに基づき、絶対座標系における前方車の位置座標を計算して、その計算結果である前方車絶対位置情報Ｄ１６を出力する。
【００２２】
前方車位置記憶手段１７は、前方車位置計算手段１６から出力された前方車絶対位置情報Ｄ１６を順次受け、遡及所定期間に渡る過去の前方車の位置の履歴を指示する前方車位置履歴情報Ｄ１７として保存する。
【００２３】
上述した前方車位置計算手段１６及び前方車位置記憶手段１７とが、絶対座標系における少なくとも一つの前方車それぞれの位置を指示する前方車絶対位置情報Ｄ１６を取得し、遡及所定期間に渡る過去の前記前方車位置情報の履歴を前方車位置履歴情報Ｄ１７として保存する前方車位置記憶部として機能する。
【００２４】
先行車選択部である先行車選択手段１８は、自車位置計測手段１４により出力される自車絶対位置情報Ｄ１４が指示する現在の自車絶対位置座標と、前方車位置記憶手段１７によって記憶された前方車位置履歴情報Ｄ１７が指示する遡及所定期間に渡る過去の一連の履歴である、少なくとも一つの前方車それぞれの前方車絶対位置とを比較して先行車選択処理を行い、その比較結果に基づき選択した先行車の相対位置などを指示する先行車情報Ｄ１８を出力する。以下、上述した各手段１４〜１８（前方車相対位置計測手段１５を除く）に関して詳細に説明する。
【００２５】
自車位置計測手段１４は、自車情報Ｄ１２に基づき絶対座標系における自車の位置座標を計測（計算）する。例えば、自車情報Ｄ１２として現在時刻ｔにおける自車の速度ｓ（ｔ）とヨーレートρ（ｔ）が与えられている場合、現在時刻ｔでの自車位置の座標（ｘs（ｔ），ｙs（ｔ））は以下の式(1)〜式(3)を用いて導出することができる。なお、式(1)，式(2)で用いられるθ（ｔ）は、式(3)に示すように現在時刻ｔでの自車の進行方向を表している。
【００２６】
【数１】
2011098586.tif 000003
【００２７】
【数２】
2011098586.tif 000004
【００２８】
【数３】
2011098586.tif 000005
【００２９】
前方車位置計算手段１６は、上述した絶対座標系における、前方車の位置座標を計算する。現在時刻ｔにおいて、自車の位置が上記絶対座標系で（ｘs（ｔ），ｙs（ｔ））、進行方向がθ（ｔ）、自車の位置を原点とした上記相対座標系における前方車ｉの位置座標が（ｕi（ｔ），ｖi（ｔ））であるとき、上記絶対座標系における前方車ｉの位置座標（ｘi（ｔ），ｙi（ｔ））は以下の式(4)を用いて計算できる。
【００３０】
【数４】
2011098586.tif 000006
【００３１】
前方車位置記憶手段１７は、前方車位置計算手段１６で計算された前方車絶対位置情報Ｄ１６を逐次取得し、遡及所定期間に渡る過去の履歴情報となる前方車位置履歴情報Ｄ１７として保存する。なお、前方車位置記憶手段１７にて保存する前方車位置履歴情報Ｄ１７は遡及所定時間の過去まで前方車の位置を全て保存する、あるいは、前方車位置記憶手段１７の記憶量を削減するために保存する内容を適応的に選択し、選択的に保存する等の対応が考えられる。
【００３２】
図２は先行車選択手段１８における２つのモード（先行車無しモード，先行車有りモード）間の状態遷移内容を模式的に示す説明図である。
【００３３】
図２に示すように、先行車選択手段１８は２つの動作モード（先行車無しモードＭ１，先行車有りモードＭ２）を有しており、先行車無しモードＭ１，先行車有りモードＭ２間を遷移する。
【００３４】
すなわち、先行車選択手段１８は、先行車無しモードＭ１であるとき、先行車を新規に検知する新規先行車検知Ｋ１が有ると判定すると、先行車有りモードＭ２に遷移する。
【００３５】
一方、先行車選択手段１８は、先行車有りモードＭ２であるとき、割り込みを検知する割り込み検知Ｋ２が有ると判定する、または、先行車車線離脱検知Ｋ３が有り、かつ新規先行車検知Ｋ１が有る判定すると先行車を変更しながら先行車有りモードＭ２を維持する。また、先行車有りモードＭ２のとき、先行車車線離脱検知Ｋ３が有り、かつ新規の先行車を検知できない新規先行車不検知Ｋ４が有る（新規先行車検知Ｋ１が無い）と判定したとき、先行車無しモードＭ１へ遷移する。これら新規先行車検知Ｋ１（新規先行車不検知Ｋ４）、割り込み検知Ｋ２及び先行車車線離脱検知Ｋ３を含む処理が先行車選択手段１８による先行車選択処理である。
【００３６】
図３は先行車選択手段１８による先行車選択処理手順を示すフローチャートである。以下、図３を参照して、先行車選択手段１８の処理内容の詳細を説明する。
【００３７】
先行車選択手段１８が先行車無しモードＭ１のとき、まず、ステップＳ１１において、前方車位置記憶手段１７から前方車位置履歴情報Ｄ１７及び自車絶対位置情報Ｄ１４を取得する前方車履歴情報等取得処理を行い、ステップＳ１２で新規先行車検知Ｋ１の有無を判定する。
【００３８】
ステップＳ１２で新規先行車検知Ｋ１が無いと判定すると（Ｎｏ）、再びステップＳ１１に移行し、以降、新規先行車検知Ｋ１が有ると判定する（Ｙｅｓ）まで、ステップＳ１１，Ｓ１２を繰り返す。そして、ステップＳ１１で新規先行車検知Ｋ１が有ると判定すると、先行車有りモードＭ２に移行する。
【００３９】
先行車選択手段１８が先行車有りモードＭ２のとき、まず、ステップＳ２１において、ステップＳ１１と同様の前方車履歴情報等取得処理を行い、ステップＳ２２で割り込み検知Ｋ２の有無を判定する。
【００４０】
ステップＳ２２で割り込み検知Ｋ２が有ると判定すると（Ｙｅｓ）、ステップＳ２３で割り込んだ車両を新たな先行車とする先行車変更処理を行い、再び、ステップＳ２１に戻り、前方車履歴情報等取得処理を行う。
【００４１】
一方、ステップＳ２２で割り込み検知Ｋ２が無いと判定した場合（Ｎｏ）、ステップＳ２４において先行車車線離脱検知Ｋ３の有無を判定する。
【００４２】
ステップＳ２４で先行車車線離脱検知Ｋ３が無いと判定した場合（Ｎｏ）、ステップＳ２１に戻り再び前方車履歴情報等取得処理を行う。一方、ステップＳ２４で先行車車線離脱検知Ｋ３が有ると判定すると（Ｙｅｓ）、ステップＳ２５で新規先行車検知Ｋ１の有無を判定する。
【００４３】
そして、ステップＳ２５で新規先行車検知Ｋ１が有ると判定すると（Ｙｅｓ）、ステップＳ２６において、新規先行車検知Ｋ１によって指示される新規先行車を新たな先行車とする先行車変更処理を行い、再び、ステップＳ２１にお戻り、前方車履歴情報等取得処理を行う。一方、ステップＳ２５で新規先行車検知Ｋ１が無いと判定する（すなわち、新規先行車不検知Ｋ４が有ると判定する）と、先行車無しモードＭ１（ステップＳ１１）へと移行する。
【００４４】
図３で示した先行車選択手段１８による先行車選択方法は上位概念的に考えると以下の２つのステップ(a) ，(b) から構成され、少なくとも一つの前方車のうち、先行車を選択する先行車選択方法と考えることができる。
【００４５】
ステップ(a)は、絶対座標系における上記少なくとも一つの前方車それぞれの位置を指示する前方車絶対位置情報Ｄ１６を受け、遡及所定期間に渡る過去の前方車絶対位置情報Ｄ１６の履歴を前方車位置履歴情報Ｄ１７として得るステップ（図３のステップＳ１１，Ｓ２１に相当）である。
【００４６】
ステップ(b)は、絶対座標系における自車の現在位置を指示する自車絶対位置情報Ｄ１４と、上記ステップ(a) で得た前方車位置履歴情報Ｄ１７とに基づき、先行車を選択する先行車選択処理を行うステップ（ステップＳ１２，Ｓ２２〜Ｓ２６に相当）である。
【００４７】
そして、上記ステップ(a) ，(b) を繰り返し行うのが、実施の形態１で代表される本願発明の先行車選択方法である。
【００４８】
図４は、複数の車線を持つ道路上を自車及び複数の前方車が走行している状況を示す説明図である。
【００４９】
図４において、車線５上を自車１が走行し、隣接車線６及び車線５上それぞれに前方車２１及び２２が走行している状況を示している。図４において、自車１は網掛け四角で図示されており、前方車２１及び２２は白抜き四角で図示されている。
【００５０】
自車１の前方に黒い丸で示す部分が、レーダ波２Ｒの発信源であるレーダのアンテナ位置を示している。以下、この黒丸部分を自車位置とみなす。簡単のため、時刻ｔにおける自車位置（ｘs（ｔ），ｙs（ｔ））を２次元ベクトルで表し、ｚs（ｔ）と図示している。同様に、時刻（ｔ−２）及び（ｔ−１）における２次元ベクトルをｚs（ｔ−２）及びｚs（ｔ−１）で図示している。
【００５１】
一方、前方車２１及び前方車２２の白抜き丸部分は、レーダ波２Ｒの反射点を示している。図４に示すように、観測のたびに車両（前方車２１，２２）の異なる部位でレーダ波２Ｒが反射しうる。絶対座標系における前方車２ｉ（ｉ＝１，２）の反射点の座標も２次元ベクトルで表現し、ｚi（ｔ）と図示している。同様に、時刻（ｔ−２）及び（ｔ−１）における２次元ベクトルをｚi（ｔ−２）及びｚi（ｔ−１）で図示している。
【００５２】
ただし、時刻ｔでの観測における前方車の番号ｉと時刻（ｔ＋１）での前方車の番号ｉは正しく関連付けられているものとする。これは、例えば時刻ｔにおける前方車ｉの位置に最も近い位置が測定された時刻（ｔ＋１）での反射点をｚi（ｔ＋１）とすることによって行うことができる。
【００５３】
図５は、図４を簡略化し、複数の車線を持つ道路上を自車及び複数の前方車が走行している状況を模式的に示す説明図である。以下では、説明の都合上、図５のような簡略化した図を用いて説明する。
【００５４】
前方車履歴情報等取得処理では、自車絶対位置情報Ｄ１４から、現在（時刻ｔ）における自車位置ｚs（ｔ）を取得し、前方車位置履歴情報Ｄ１７から、時刻ｔを基準とした全ての前方車ｉについての位置の遡及所定期間に渡る過去の履歴に基づく履歴前方車位置群｛ｚi（ｔ−ｎ），．．．，ｚi（ｔ）｝を取得する。なお、説明の都合上、ここで述べる履歴前方車位置群は、時刻ｔから、１，２，・・・，ｎ（ｎ≧１）サンプリング点前の時刻（ｔ−ｎ）までを遡及所定期間として遡った前方車位置の履歴であるとする。
【００５５】
新規先行車検知Ｋ１の有無を判定する際、時刻ｔにおいて自車に近い時刻ｔにおける前方車から順に、上記履歴前方車位置群における各前方車位置と現在の自車位置との距離を以下の式(5)を用いて計算する。なお、式(5)において、ｋ＝１〜ｎのいずれか意味する。
【００５６】
【数５】
2011098586.tif 000007
【００５７】
そして、前方車２ｉ（図５の例では前方車２１及び前方車２２）それぞれにおいて、上記履歴前方車位置群内における距離ｄi（ｔ，ｋ）の最小値ＭＩＮｉを求める。そして、自車に近い前方車から順から求められた最小値ＭＩＮｉが所定の閾値ＴＨ１より小さければ、当該前方車を新規先行車である、すなわち、新規先行車検知Ｋ１が有ると判定する。例えば、図５の例で、時刻ｔにおいて、自車１に前方車２２、前方車２１の順で近く、前方車２２の最小値ＭＩＮ２が閾値ＴＨ１より小さければ前方車２２を新規先行車であると判定する新規先行車検知Ｋ１が行われる。
【００５８】
一方、全ての前方車２ｉに対して最小値ＭＩＮｉが閾値ＴＨ１以上であれば、新規先行車検知Ｋ１が無いと判定し、新規先行車なしである新規先行車不検知Ｋ４が有ると判定する。
【００５９】
割り込み検知Ｋ２の有無の判定は以下のように行う。時刻ｔにおいて現在の先行車より近い前方車２ｉに対し、自車に近い前方車２ｉから順に、距離ｄi（ｔ，ｋ）のｋ（＝１〜ｎ）に関する最小値ＭＩＮｉを計算し、最小値ＭＩＮｉが所定の閾値ＴＨ２より小さければ割り込みがあったと判定する。例えば、図５の例で、現在の先行車が前方車２１であり、時刻ｔにおいて前方車２２が前方車２１より自車１に近い位置にあるとき、前方車２２の最小値ＭＩＮ２が閾値ＴＨ２より小さければ前方車２２による割り込みがあったと判定する。
【００６０】
一方、時刻ｔにおいて現在の先行車より近い前方車全てに対し最小値ＭＩＮｉが閾値ＴＨ２以上であれば、割り込み検知Ｋ２が無いと判定する。
【００６１】
先行車車線離脱検知Ｋ３の有無の判定は以下のように行う。現在の先行車に対し上記した距離ｄi（ｔ，ｋ）のｋに関する最小値ＭＩＮｉを計算し、この最小値ＭＩＮｉが所定の閾値ＴＨ３より小さければ先行車は車線離脱していない、すなわち、先行車車線離脱検知Ｋ３は無いと判定する。もし、先行車の最小値ＭＩＮｉ閾値ＴＨ３より大きければ、先行車が車線離脱した、すなわち、先行車車線離脱検知Ｋ３が有ると判定する。
【００６２】
上記新規先行車検知Ｋ１，割り込み検知Ｋ２及び先行車車線離脱検知Ｋ３に用いた距離ｄi（ｔ，ｋ）は式(5)を用いて算出したが他の方法によって導出しても良い。例えば、上記履歴前方車位置群における前方車位置ｚi（ｔ，ｋ）を直線や多項式などで補間して補間データ（補間により得られた前方車位置）を得る。そして、補間データを遡及所定期間に渡る過去の前方車位置として含め、上記履歴前方車位置群における前方車位置と共に用いて距離ｄi（ｔ，ｋ）を計算してもよい。特に、前方車位置記憶手段１７において記憶量の節約のために保存する前方車位置履歴情報Ｄ１７を選択的に行う場合等は、情報量不足を補うべく、上記補間データを演算することによる履歴の補間を行うことが望ましい。この場合、先行車選択手段１８内に前方車位置履歴情報Ｄ１７に基づき補間演算を行って上記補間データを算出する補間演算機能を設ける必要がある。
【００６３】
このように、先行車選択手段１８内に補間演算機能を設けることにより、少なくとも一つの前方車それぞれにおける遡及所定期間に渡る過去の前方車位置として、前方車位置履歴情報Ｄ１７に基づき補間演算により得られた補間データを前方車位置として含ませることができ、前方車位置記憶手段１７の記憶容量の低減化を図ることができる。
【００６４】
なお、新規先行車検知Ｋ１、割り込み検知Ｋ２及び先行車車線離脱検知Ｋ３の判定用に用いた閾値ＴＨ１〜ＴＨ３は、ＴＨ１≦ＴＨ３，閾値ＴＨ２≦ＴＨ３を満足させることを条件として、任意に設定することができる。すなわち、上記条件を満足する範囲で、閾値ＴＨ１〜ＴＨ３を同一値にしても異なる値に設定しても良い。
【００６５】
図６は実際の車線形状と，自車の予測進路が異なる場合を模式的に示す説明図である。図６において、自車の予測進路ＰＤ（ｚs（ｔ）〜ｚp（ｔ＋ｍ））と実際の車線５の形状が異なる場合を示している。すなわち、現在時刻である時刻ｔからｍサンプリング後の予測位置ｚp（ｔ＋ｍ）は車線５から離脱してしまう場合を示している。
【００６６】
特許文献１，特許文献２等に開示された従来の先行車選択方法では、自車の予測進路と前方車の現在位置とを比較して新規先行車検知Ｋ１の有無の判断等の先行者選択処理を行っているため、予測した自車の未来の位置ｚp（ｔ＋ｍ）と現在の前方車位置ｚi（ｔ）とは大きく乖離してしまう。
【００６７】
このため、予測した自車の未来の位置ｚp（ｔ＋ｍ）と現在の前方車位置ｚi（ｔ）とを比較して先行車を選択する従来の先行車選択方法においては、先行車が車線離脱したと誤判定してしまう。
【００６８】
しかし、実施の形態１の先行車選択装置１１では、先行車の過去の位置ｚi（ｔ−ｎ）は現在の自車位置ｚs（ｔ）の近くにあるため、先行車選択装置１１による先行車選択方法を用いることにより、図６で示すような場合でも先行車を正しく選択し続けることができる効果を奏する。
【００６９】
このように、実施の形態１の先行車選択装置１１（先行車選択方法）は、自車絶対位置情報Ｄ１４と、前方車位置履歴情報Ｄ１７とに基づき、先行車を選択する先行車選択処理を行うため、情報精度の高い過去の前方車位置履歴情報Ｄ１７に基づく分、先行車予測精度を高める効果を奏する。なぜならば、先行車は過去に自車の現在位置を走行していたことは予測ではなく誤りの無い過去の事実であるため、前方車位置履歴情報Ｄ１７に基づくことにより、自車の前方の車線の形状にかかわらず先行車を正しく選択することができるからである。
【００７０】
すなわち、先行車選択装置１１の先行車選択手段１８は、自車絶対位置情報Ｄ１４より得られる自車の現在位置と、前方車位置履歴情報Ｄ１７より得られる少なくとも一つの前方車それぞれにおける遡及所定期間に渡る過去の前方車位置との比較結果に基づき先行車選択処理を行うことにより、先行車予測精度を高めることができる効果を奏する。
【００７１】
先行車予測精度が高まると、先行車選択装置１１を利用した車両のＡＡＣの精度が向上するため、当該車両のユーザは急加速、急減速を必要とする度合が減少する分、車両の省エネルギー化を図ることが期待できる。
【００７２】
＜実施の形態２＞
実施の形態２の先行車選択装置では、実施の形態１と同様の構成において、自車の情報から自車の進路を予測し、この予測された進路と前方車の位置の履歴と比較することによって、先行車を選択する。
【００７３】
図７はこの発明の実施の形態２である先行車選択装置及びその周辺構成を示すブロック図である。
【００７４】
同図に示すように、実施の形態２の先行車選択装置１２は、前方車位置計算手段１６、前方車位置記憶手段１７、自車進路予測手段１９及び先行車選択手段２８より構成される。なお、自車位置計測手段１４、前方車相対位置計測手段１５、前方車位置計算手段１６、前方車位置記憶手段１７は実施の形態１の同様であるため、同一符号を付し説明を適宜省略する。
【００７５】
自車進路予測手段１９は、自車位置計測手段１４によって得られ絶対座標系における自車の位置座標を指示する自車絶対位置情報Ｄ１４と、自車情報Ｄ１２とを用いて自車の進路を予測し、その予測結果である自車進路予測情報Ｄ１９を出力する。
【００７６】
先行車選択手段２８は、自車進路予測手段１９によって得られる自車進路予測情報Ｄ１９と、前方車位置記憶手段１７によって得られる前方車位置履歴情報Ｄ１７とに基づき、前方車の中から先行車を選択する先行車選択処理を行い、選択した先行車を指示する情報等の先行車情報Ｄ２８を出力する。これら自車進路予測手段１９及び先行車選択手段２８により先行車選択部を構成する。
【００７７】
図８は自車進路予測手段１９及び先行車選択手段２８による予測進路と前方車位置履歴情報Ｄ１７の用い方を模式的に示す説明図である。
【００７８】
同図において、前方車位置履歴情報Ｄ１７より得られる履歴前方車位置群内において、時刻ｔの前方車位置８（ｚi（ｔ））から遡及所定期間に渡る過去の前方車２ｉの前方車位置８が得られている。一方、後述するように、自車進路予測手段１９による自車進路予測情報Ｄ１９によって、現在の自車位置ｚs（ｔ）から予測進路中心点Ｑ（ｔ）及び予測進路用半径Ｒ（ｔ）によって予測される自車予測進路ＰＤ１が指示されている。
【００７９】
以下、図８を参照して、自車進路予測手段１９及び先行車選択手段２８に関する処理を詳細に説明する。
【００８０】
自車進路予測手段１９は、自車絶対位置情報Ｄ１４と自車情報Ｄ１２とを用いて自車の進路を予測する。
【００８１】
例えば、自車情報Ｄ１２が自車の速度ｓ（ｔ），ヨーレートρ（ｔ）を指示している場合は、自車の速度、ヨーレートが一定であるとして自車の進路を予測する。このとき、予測進路を、自車を通り自車の進行方向に直交する直線上で自車から、以下の式(6)で示す予測進路用半径Ｒ（ｔ）の距離にある点Ｑ（ｔ）を中心とし、半径がＲ（ｔ）であるような円弧とする。
【００８２】
【数６】
2011098586.tif 000008
【００８３】
ただし、式(6)においてρ（ｔ）が“０”のときは、自車の予測進路は自車進行方向の直線上にあるとし、予測進路用半径Ｒ（ｔ）が正のときは点Ｑ（ｔ）は自車に対し進行方向右側、負のときは進行方向左側に位置するとする。
【００８４】
先行車選択手段２８の動作は実施の形態１の先行車選択手段１８とほぼ同様であるが、式(5)で求めた距離ｄi（ｔ，ｋ）のように、過去の前方車の位置と現在の自車位置とを比較して自車位置に最も近い過去の前方車位置を求めるのではなく、過去の前方車の位置と予測進路との距離に基づき、自車の予測進路に最も近い値を求めることによって先行車か否かを判定する点が異なる。
【００８５】
具体的には、前方車２ｉの過去の時刻（ｔ−ｋ）の位置ｚi（ｔ−ｋ）と時刻ｔでの予測進路との距離ｄi（ｔ，ｋ）を、以下の式(7)によって計算する。
【００８６】
【数７】
2011098586.tif 000009
【００８７】
ただし、式(7)のｚq（ｔ）は点Ｑ（ｔ）の座標を２次元ベクトルで表したものである。
【００８８】
実施の形態２における新規先行車検知Ｋ１の有無の判定は以下のように行う。自車に近い前方車から順に式(7)により得られる距離ｄi（ｔ，ｋ）のｋに関する最小値ＲＭＩＮｉを求め、最小値ＲＭＩＮｉが所定の閾値ＴＨ２１より小さければ、それを新規の先行車である、すなわち、新規先行車検知Ｋ１が有ると判定する。全ての前方車２ｉに対して最小値ＲＭＩＮｉが閾値ＴＨ２１以上であれば、新規先行車なし、すなわち、新規先行車検知Ｋ１が無い（新規先行車不検知Ｋ４が有る）と判定する。
【００８９】
図８で示した例において、式(7)によって、自車予測進路ＰＤ１と履歴前方車位置群を構成する複数の前方車位置８との距離が比較され、最も近い最近過去前方車位置８ｉと自車予測進路ＰＤ１との距離ｄi（ｔ，ｋ）が最小値ＲＭＩＮｉとされる。
【００９０】
先行車選択手段２８による割り込み検知Ｋ２及び先行車車線離脱検知Ｋ３の有無の判定は、距離ｄi（ｔ，ｋ）の定義が式(5)から式(7)に変わるだけで、他の処理は実施の形態１との先行車選択手段１８と同様である。
【００９１】
実際の車両の走行において、先行車が変化するのは割り込みがあった場合、先行車なしのときの新規先行車の出現、先行車が車線離脱した場合、及び自車が車線を変更した場合である。
【００９２】
図９は割り込みがあった場合の状態を模式的に示す説明図である。図９に示すように、自車１が車線５を直進し、自車位置ｚs（ｔ−２）〜自車位置ｚs（ｔ）を経て、将来、自車位置ｚs（ｔ＋ｋ−１）〜ｚs（ｔ＋ｋ）に進行し、一方、前方車３は、時刻（ｔ−１）〜時刻ｔにかけて、前方車位置ｚi（ｔ−１）〜ｚi（ｔ）を変え割り込み進路ＷＤ１を採っている。
【００９３】
図１０は自車が車線変更した場合の状態を模式的に示す説明図である。図１０に示すように、自車１が隣接車線６から、時刻ｔに、自車位置ｚs（ｔ）を車線５に変え自車車線変更進路ＣＤ１を採っている。一方、前方車３は隣接車線６上を直進しており、時刻ｔの前方車位置ｚi（ｔ）においてもこの状態を維持している。
【００９４】
実施の形態１の先行車選択装置１１では、例えば、新規先行車検知Ｋ１及び割り込み検知Ｋ２の有無の判定を行うためには、先行車が出現した位置、または割り込みが行われた位置まで自車が進行しなければならない。すなわち、図９で示す例では、現在時刻である時刻ｔでは割り込み検知Ｋ２の判定が行えず、時刻（ｔ＋ｋ）になってはじめて、前方車３の割り込み進路ＷＤ１への変更による割り込み検知Ｋ２が有ると判定できることになる。
【００９５】
一方、実施の形態２の先行車選択装置１２は、式(7)で示したように、過去の前方車位置及び自車の予測進路に基づいて、割り込み検知Ｋ２の有無の判定を行うことができるため、前方車３の前方車位置ｚi（ｔ）に基づき、割り込みが行われた時刻ｔにおいて即時に割り込み検知Ｋ２が有ることを判定することができる。
【００９６】
一方、図１０で示すような、自車の車線変更に関しては、位置の比較を絶対座標で行っているため、図１０に示すように車線変更が行われた時刻ｔに、即時に自車１の自車車線変更進路ＣＤ１による先行車車線離脱検知Ｋ３が有るとの判定がなされる。なお、この点は、実施の形態１の先行車選択装置１１も同様である。
【００９７】
また、図６のような車線の形状が変化する状況では前方車位置履歴情報Ｄ１７に基づくため、実施の形態２の先行車選択装置１２も実施の形態１の先行車選択装置１１と同様、カーブ路にて誤って車線変更を検知することは無い。しかし、先行車が実際に車線を離脱したときは、先行車車線離脱検知Ｋ３が判定されるまでに遅れが生ずる。なお、この点は、実施の形態１の先行車選択装置１１も同様である。
【００９８】
しかし、例えば、実施の形態２の先行車選択装置１２をＡＡＣへ適用することを考えると、先行車の車線離脱の検知は、先行車を変更すべき事象のうち検知の遅れが最も問題とならない場合である。他の場合、すなわち割り込みや自車の車線変更においては、前述したように、実施の形態２によって遅れなく検知できる。
【００９９】
ここで、前方車位置履歴情報Ｄ１７において使用する履歴（遡及所定期間）の長さは、新規先行車検知Ｋ１、割り込み検知Ｋ２及び先行車車線離脱検知Ｋ３の各処理で異なる長さに設定しても良い。実施の形態２においては履歴の参照が最も効果を発揮するのは先行車車線離脱検知Ｋ３の判定時においてである。例えば、先行車車線離脱検知Ｋ３の判定時のみ遡及所定期間が長い前方車位置履歴情報Ｄ１７を用い、他の処理では遡及所定期間が短い前方車位置履歴情報Ｄ１７を用いる対応が考えられる。この場合、長い履歴を保存するのは先行車についてだけでよく、全ての前方車の位置の履歴を長く保存しなくともよい。よって、前方車位置記憶手段１７の記憶量を節約することができる効果を奏する。
【０１００】
このように、実施の形態２の先行車選択装置１２は、自車絶対位置情報Ｄ１４に基づき自車進路予測手段１９より得られる自車進路予測情報Ｄ１９と、前方車位置履歴情報Ｄ１７とに基づき、先行車を選択する先行車選択処理を行うため、情報精度の高い過去の前方車位置履歴情報Ｄ１７に基づく分、実施の形態１と同様、先行車予測精度を高める効果を奏する。
【０１０１】
すなわち、先行車選択装置１２の先行車選択手段２８は、自車進路予測情報Ｄ１９より得られる自車の予測進路と、前方車位置履歴情報Ｄ１７より得られる前記少なくとも一つの前方車それぞれにおける遡及所定期間に渡る過去の前方車位置との比較結果に基づき先行車選処理を行うことにより、先行車予測精度を高めることができる。
【０１０２】
さらに、実施の形態２の先行車選択装置１２は、自車進路予測情報Ｄ１９に基づくことにより、実施の形態１の先行車選択装置１１と比較して、割り込み検知Ｋ２の判定等の先行車選択処理をより高速に行うことができる効果を奏する。
【０１０３】
なお、実施の形態２では自車情報Ｄ１２に基づく式(6)による予測方法（所定の予測方法）を採用した例を示したが、自車の予測進路を直進する等に予め仮定する予測方法を採用する場合は、仮定自車情報Ｄ１２に基づくことなく、自車の予測進路を決定することができる。
【０１０４】
＜実施の形態３＞
実施の形態３の先行車選択装置は、実施の形態１または実施の形態２と同様の構成において、前方車の位置の履歴をベイズ推定によって平滑化し、平滑化した前方車の位置の履歴と自車の位置または自車の予測進路とを比較することによって先行車を判定する。
【０１０５】
図１１はこの発明の実施の形態３である先行車選択装置及びその周辺構成を示すブロック図である。
【０１０６】
同図に示すように、実施の形態３の先行車選択装置１３は、前方車位置計算手段１６、前方車位置記憶手段１７、自車進路予測手段１９、前方車位置平滑化手段２０及び先行車選択手段３８から構成される。なお、自車位置計測手段１４、前方車相対位置計測手段１５、前方車位置計算手段１６、前方車位置記憶手段１７は実施の形態１の同様であり、自車進路予測手段１９は実施の形態２と同様であるため、同一符号を付し説明を適宜省略する。
【０１０７】
前方車位置平滑化手段２０は、前方車位置履歴情報Ｄ１７に基づきベイズ推定により前方車の位置の履歴を平滑化し、平滑化結果を指示する前方車位置平滑化情報Ｄ２０を出力する。ベイズ推定には、例えばカルマンスムーザを用いることができる。カルマンスムーザを用いると前方車位置の２次元ガウス分布が得られるが、この期待値を平滑化された前方車の位置の履歴における確率的な情報として用いることができる。すなわち、前方車位置平滑化情報Ｄ２０が指示する情報には上記期待値が含まれている。
【０１０８】
先行車選択手段３８は、前方車位置履歴情報Ｄ１７に変えて、前方車位置平滑化手段２０より出力される前方車位置平滑化情報Ｄ２０の指示する、平滑化された前方車の位置の履歴、あるいはその確率的な情報（上記期待値等）を用いる点を除いて、先行車選択手段２８と同様に、前方車の中から先行車を選択し、選択した先行車を指示する情報等の先行車情報Ｄ３８を出力する。これら自車進路予測手段１９、前方車位置平滑化手段２０及び先行車選択手段３８により先行車選択部を構成する。
【０１０９】
以下、先行車選択手段３８において、前方車位置平滑化情報Ｄ２０が指示する、前方車の位置の履歴の確率的な情報を用いる場合について詳細に説明する。例えば、前方車位置平滑化手段２０としてカルマンスムーザを用いた場合、過去の時刻ｓのときの前方車２ｉの位置の分布が得られる。この確率分布は、前方車の過去の位置を２次元ベクトルとして表現したときの期待値μi（ｓ）と分散共分散行列Ｐi（ｓ）によって表現することができる。これら期待値μi（ｓ）と分散共分散行列Ｐi（ｓ）が確率的な情報となる。
【０１１０】
ここで時刻ｔにおけるＱ（ｔ）の座標を２次元ベクトルで表現したものをｚq（ｔ）とすると、前方車２ｉが自車の走行車線上を走っている確率、すなわち車線幅をＷとして時刻ｓでの前方車位置と自車の予測進路との距離が車線幅の半分以下である確率は、以下の式(8)より求めることができる。ただし、式(8)における領域Ｄ（ｔ）は、以下の式(9)より得られる値である。
【０１１１】
【数８】
2011098586.tif 000010
【０１１２】
【数９】
2011098586.tif 000011
【０１１３】
式(9)において、自車のヨーレートが“０”のときは、Ｄ（ｔ）は自車を通り、自車の進行方向に伸びた幅Ｗの帯状の領域であるとする。
【０１１４】
先行車選択手段３８による新規先行車検知Ｋ１の有無の判定は以下のように行う。現在の時刻ｔにおける自車に近い前方車２ｉから順にｐi（ｓ，ｔ）のｓに関する最大値ＭＡＸｉを計算し、最大値ＭＡＸｉが所定の閾値ＴＨ３１より大きければ前方車ｉを先行車として選択する（新規先行車検知Ｋ１が有ると判定する）。全ての前方車２ｉに対し最大値ＭＡＸｉが閾値ＴＨ３１より小さければ先行車なしとする（新規先行車検知Ｋ１が無いと判定する）。
【０１１５】
先行車選択手段３８による割り込み検知Ｋ２の有無の判定は以下のように行う。現在の時刻ｔにおける自車に近い前方車２ｉから順にｐi（ｓ，ｔ）のｓに関する最大値ＭＡＸｉを計算し、最大値ＭＡＸｉが所定の閾値ＴＨ３２より大きければ割り込みがあったと判定する（割り込み検知Ｋ２が有ると判定する）。現在の先行車より近い全ての前方車２ｉに対し最大値ＭＡＸｉが閾値ＴＨ３２より小さければ、割り込み無しと判定する（割り込み検知Ｋ２が無いと判定する）。
【０１１６】
先行車選択手段３８による先行車車線離脱検知Ｋ３の有無の判定は以下のように行う。先行車に対しｐi（ｓ，ｔ）のｓに関する最大値ＭＡＸｉを計算し、最大値ＭＡＸｉが所定の閾値ＴＨ３３より小さければ、先行車の車線離脱であると判定する（先行車車線離脱検知Ｋ３が有ると判定する）。そうでなければ先行車が車線離脱していないと判定する。
【０１１７】
なお、閾値ＴＨ３１〜ＴＨ３３は、ＴＨ３１≧ＴＨ３３，閾値ＴＨ３２≧ＴＨ３３を満足させることを条件として、任意に設定することができる。すなわち、上記条件を満足する範囲で、閾値ＴＨ３１〜ＴＨ３３を同一値にしても異なる値に設定しても良い。
【０１１８】
実施の形態１の欄において、図４を参照して説明した通り、前方車２１，２２がレーダ波２Ｒを反射する点（前方車反射点２１ｒ，２２ｒ）は観測ごとにばらついている。このため、観測された前方車位置は、車両の大きさ分のばらつきを持つ。このばらついた前方車位置に対して自車位置との距離を計算すると、その距離も車両の大きさ分のばらつきを持ち、場合によってはそのばらつきが先行車の選択に影響を及ぼす。
【０１１９】
図１２は前方車位置の平滑化による効果を模式的に示す説明図である。ベイズ推定では履歴を遡れば遡るほど推定が正確になるため、図１２に示す通り、前方車位置ｚi（ｔ）が大きくばらついて観測されても、ベイズ推定による前方車位置μi（ｔ−ｋ）では前方車の過去の位置を精度良く正確に求めることができる。
【０１２０】
したがって、実施の形態３の先行車選択装置１３を用いることにより、前方車の過去の位置がより正確となる推定に基づく判定が行えるため、レーダなどを用いて計測される前方車位置ｚi（ｔ）の計測にランダムな誤差が重畳していたとしても、精度良く先行車を選択できるという効果を奏する。
【０１２１】
図１３は確率的な情報を用いた判定による効果を模式的に示す説明図である。式(9)より得る確率ｐi（ｓ，ｋ）は領域Ｄ（ｔ）でのガウス型確率密度関数の積分であるから、図１３の(a) に示すように、自車１の自車位置ｚs（ｔ）と比較する前方車３の前方車位置ｚi（ｔ）の分散が大きくなる（分散によって定まる確率楕円３１が大きくなる）と確率ｐi（ｓ，ｋ）は必然的に小さくなる。
【０１２２】
一方、図１３の(b) に示すように、前方車位置ｚi（ｔ）の分散が小さくなる（確率楕円３２が小さくなる）と、確率ｐi（ｓ，ｋ）は必然的に大きくなる。したがって、位置の分散が大きい前方車３は新規先行車検知Ｋ１、割り込み検知Ｋ２及び先行車車線離脱検知Ｋ３のいずれの判定においても新規先行車なし、割り込みなし、先行車離脱ありと判定されやすくなる。
【０１２３】
このように、実施の形態３の先行車選択装置１３は、先行車選択手段３８による先行車選択に関する判定を期待値等の確率的な情報を指示する前方車位置平滑化情報Ｄ２０に基づいて行うことにより、前方車の位置の確からしさに応じて、先行車を適切に選択できる効果を奏する。
【０１２４】
なお、実施の形態３の先行車選択装置１３は、実施の形態２の先行車選択装置１２の構成に、前方車位置平滑化手段２０を追加した構成で示した。一方、式(9)を用いることなく自車位置を中心とする半径Ｗ／２の円として領域Ｄ（ｔ）を設定し、式(8)の確率ｐi（ｓ，ｋ）を計算することにより、比較対象が自車の予測進路でなく自車の現在位置となるため、実施の形態１の先行車選択装置１１の構成に、前方車位置平滑化手段２０を追加した構成と実質的に等価な構成を実現することができる。
【０１２５】
このように、実施の形態３の先行車選択装置１３は、実施の形態１及び実施の形態２と同様、自車絶対位置情報Ｄ１４に基づき自車進路予測手段１９より得られる自車進路予測情報Ｄ１９と、前方車位置履歴情報Ｄ１７に基づき前方車位置平滑化手段２０より得られる前方車位置平滑化情報Ｄ２０とに基づき、先行車を選択する先行車選択処理を行うため、情報精度の高い過去の前方車位置履歴情報Ｄ１７（前方車位置平滑化情報Ｄ２０）に基づく分、先行車予測精度を高める効果を奏する。
【０１２６】
加えて、先行車選択装置１３の先行車選択手段３８は、自車進路予測情報Ｄ１９より得られる自車の予測進路に基づくことにより、実施の形態２と同様、割り込み検知Ｋ２の判定等の先行車選択処理をより高速に行うことができる効果を奏する。
【０１２７】
加えて、実施の形態３の先行車選択装置１３における前方車位置平滑化手段２０は、前方車位置履歴情報Ｄ１７に基づき、少なくとも一つの前方車それぞれにおける遡及所定期間に渡る過去の前方車位置を平滑化して、平滑化後の少なくとも一つの前方車それぞれにおける遡及所定期間に渡る過去の前方車位置に関する確率的情報を指示する前方車位置平滑化情報Ｄ２０を得ることにより、情報精度を高めている。
【０１２８】
なぜならば、前方車位置履歴情報が指示する前方車位置に関し、ランダムな誤差が重畳している場合においても、前方車位置平滑化情報Ｄ２０が指示する前方車位置は劣化しないため、前方車位置平滑化情報Ｄ２０が指示する前方車位置に関する情報精度を高レベルに保つことができるからである。このため、実施の形態３の先行車選択装置１３は、実施の形態１及び実施の形態２以上に、先行車予測精度を高めることができる効果を奏する。
【０１２９】
さらに、先行車選択手段３８は、自車進路予測情報Ｄ１９より得られる自車の予測進路と、前方車位置平滑化情報Ｄ２０とにより導き出される式(8)の確率ｐi（ｓ，ｔ）に基づき先行車選択処理を行う分、より適切に先行車を選択することができる。
【０１３０】
＜コンピュータへの応用＞
なお、実施の形態１〜実施の形態３で述べた先行車選択装置１１〜１３は、例えば、主記憶装置、演算装置、入力装置、二次記憶装置及び出力装置等から構成され、これらの装置が共通バスを介して共通に接続されるような構成のコンピュータ装置により実現することができる。
【０１３１】
このようなコンピュータ装置において、前方車位置計算手段１６、先行車選択手段１８，２８，３８、自車進路予測手段１９、前方車位置平滑化手段２０は、例えば、演算装置がコンピュータを機能させるプログラムに基づき動作することによって実現可能である。上記プログラムは主記憶装置あるいは二次記憶装置に格納可能である。
【０１３２】
また、前方車位置記憶手段１７は、主記憶装置あるいは二次記憶装置によって実現可能である。
【符号の説明】
【０１３３】
１１〜１３  先行車選択装置、１４  自車位置計測手段、１５  前方車相対位置計測手段、１６  前方車位置計算手段、１７  前方車位置記憶手段、１８，２８，３８  先行車選択手段、１９  自車進路予測手段、２０  前方車位置平滑化手段。
【図１】
2011098586.tif 000012
【図２】
2011098586.tif 000013
【図３】
2011098586.tif 000014
【図４】
2011098586.tif 000015
【図５】
2011098586.tif 000016
【図６】
2011098586.tif 000017
【図７】
2011098586.tif 000018
【図８】
2011098586.tif 000019
【図９】
2011098586.tif 000020
【図１０】
2011098586.tif 000021
【図１１】
2011098586.tif 000022
【図１２】
2011098586.tif 000023
【図１３】
2011098586.tif 000024